(57)【要約】  ＩｏＴデバイスの個別の機能により、ＩｏＴデバイスの設置や回収または破棄などに伴う作業負担を低減する。  無線通信装置は、設置状況取得部と、設置判断部と、設置制御部とを備える。設置状況取得部は、無線通信装置の設置状況を取得する。設置判断部は、設置状況取得部によって取得された設置状況に基づいて、無線通信装置の設置が成功したか否かを判断して、その判断結果を出力する。設置制御部は、設置判断部による判断結果に従って、無線通信装置の設置に関する制御を行う。
2019171765.tif 000002
【特許請求の範囲】
【請求項１】
無線通信装置の設置状況を取得する設置状況取得部と、
取得された前記設置状況に基づいて設置が成功したか否かを判断して判断結果を出力する設置判断部と、
前記判断結果に従って設置に関する制御を行う設置制御部と
を具備する無線通信装置。
【請求項２】
前記設置状況取得部は、加速度、温度、酸素濃度および圧力の少なくとも何れか１つを前記設置状況として取得する
請求項１記載の無線通信装置。
【請求項３】
前記設置判断部は、加速度、温度、酸素濃度および圧力の少なくとも何れか１つが所定の条件に該当する場合には、設置が成功したものと判断する
請求項１記載の無線通信装置。
【請求項４】
前記設置判断部は、加速度、温度、酸素濃度および圧力の少なくとも何れか１つが所定の条件に該当する場合には、設置が失敗したものと判断する
請求項１記載の無線通信装置。
【請求項５】
前記設置状況取得部が前記設置状況の取得の試行を開始してからの経過時間を計時する計時部をさらに具備し、
前記設置判断部は、設置が成功する前に前記経過時間が所定の時間を超えた場合には、設置が失敗したものと判断する
請求項１記載の無線通信装置。
【請求項６】
前記設置制御部は、設置が成功したものと判断された場合に、無線通信機能およびセンサー機能の少なくとも何れか１つを有効にするように制御する
請求項１記載の無線通信装置。
【請求項７】
前記設置制御部は、設置が失敗したものと判断された場合に、記憶装置の記憶内容の削除、設置が失敗した旨の表示、および、設置が失敗した旨の無線通信による通知の少なくとも何れか１つを行うように制御する
請求項１記載の無線通信装置。
【請求項８】
無線通信装置の設置状況を取得する設置状況取得手順と、
取得された前記設置状況に基づいて設置が成功したか否かを判断して判断結果を出力する設置判断手順と、
前記判断結果に従って設置に関する制御を行う設置制御手順と
を具備する無線通信装置の制御方法。
【請求項９】
無線通信装置の設置状況を取得する設置状況取得手順と、
取得された前記設置状況に基づいて設置が成功したか否かを判断して判断結果を出力する設置判断手順と、
前記判断結果に従って設置に関する制御を行う設置制御手順と
をコンピュータに実行させるプログラム。
【請求項１０】
センサーと、
前記センサーのセンシング結果を無線送信する無線通信部と、
前記センサーのセンシング結果に基づいて無線通信装置の周囲環境を推定する周囲環境推定部と、
推定された前記周囲環境が所定の動作条件を満たす状態であるか否かを判断して判断結果を出力する状態判断部と、
前記判断結果に応じて前記無線通信部を制御する制御部と
を具備する無線通信装置。
【請求項１１】
前記センサーは、温度、加速度および触覚の少なくとも何れか１つを前記センシング結果として取得する
請求項１０記載の無線通信装置。
【請求項１２】
前記制御部は、前記動作条件を満たさない状態であると判断された場合に、自身の無線通信装置が動作を停止する旨を他の無線通信装置に対して通知するように前記無線通信部を制御する
請求項１０記載の無線通信装置。
【請求項１３】
前記制御部は、前記動作条件を満たさない状態であると判断された場合に、前記センシング結果の無線送信の送信頻度を下げるように前記無線通信部を制御する
請求項１０記載の無線通信装置。
【請求項１４】
前記制御部は、前記動作条件を満たさない状態であると判断された場合に、前記センシング結果の無線送信を不能にするように前記無線通信部を制御する
請求項１０記載の無線通信装置。
【請求項１５】
センサーと、前記センサーのセンシング結果を無線送信する無線通信部とを備える無線通信装置の制御方法であって、
前記センサーのセンシング結果に基づいて無線通信装置の周囲環境を推定する周囲環境推定手順と、
推定された前記周囲環境が所定の動作条件を満たす状態であるか否かを判断して判断結果を出力する状態判断手順と、
前記判断結果に応じて前記無線通信部を制御する制御手順と
を具備する無線通信装置の制御方法。
【請求項１６】
センサーと、前記センサーのセンシング結果を無線送信する無線通信部とを備える無線通信装置において、
前記センサーのセンシング結果に基づいて無線通信装置の周囲環境を推定する周囲環境推定手順と、
推定された前記周囲環境が所定の動作条件を満たす状態であるか否かを判断して判断結果を出力する状態判断手順と、
前記判断結果に応じて前記無線通信部を制御する制御手順と
をコンピュータに実行させるプログラム。
【発明の詳細な説明】
【技術分野】
【０００１】
本技術は、無線通信装置に関する。詳しくは、無線通信により外部に情報を送信する無線通信装置、および、これらにおける処理方法ならびに当該方法をコンピュータに実行させるプログラムに関する。
【背景技術】
【０００２】
ＩｏＴ（Internet of Things）時代の到来により、無線通信機能を備えたＩｏＴデバイスが急速に普及している。ＩｏＴデバイスは、広く環境中に設置され、インターネットを介してサーバと連携して機能する。ＩｏＴデバイスがサービスと連携した動作を開始するには、ＩｏＴデバイスを環境に設置する作業や、ＩｏＴデバイスが有する機能を有効化する作業が必要となる。設置すべきＩｏＴデバイスが大量に存在する場合や、作業者による操作が困難な場所に設置する場合に、正常に設置されたＩｏＴデバイスを有効化する際の作業者の負担やコスト、さらに、その設置に失敗した場合の回収や破棄に要する負担やコストが問題となる。従来は、例えば、ＩｏＴデバイスとサーバとの間に中継装置を設け、中継装置が初期設定を行って自動的に接続するＩｏＴ情報通信システムが提案されている（例えば、特許文献１参照。）。
【先行技術文献】
【特許文献】
【０００３】
【特許文献１】特開２０１７−１０２６２７号公報
【発明の概要】
【発明が解決しようとする課題】
【０００４】
上述の従来技術は、大量のＩｏＴデバイスを設置する際の作業負担を緩和するものであるが、初期設定を行う機能を有する中継装置が必要になり、システムを構築する際の自由度が制約されてしまうという問題がある。【０００５】
本技術はこのような状況に鑑みて生み出されたものであり、ＩｏＴデバイスの個別の機能により、ＩｏＴデバイスの設置や回収または破棄などに伴う作業負担を低減することを目的とする。
【課題を解決するための手段】
【０００６】
本技術は、上述の問題点を解消するためになされたものであり、その第１の側面は、無線通信装置の設置状況を取得する設置状況取得部と、取得された上記設置状況に基づいて設置が成功したか否かを判断して判断結果を出力する設置判断部と、上記判断結果に従って設置に関する制御を行う設置制御部とを具備する無線通信装置、その制御方法、および、プログラムである。これにより、無線通信装置の設置状況に基づいて無線通信装置の設置に関する制御を行うという作用をもたらす。【０００７】
また、この第１の側面において、上記設置状況取得部は、加速度、温度、酸素濃度および圧力の少なくとも何れか１つを上記設置状況として取得するようにしてもよい。【０００８】
また、この第１の側面において、上記設置判断部は、加速度、温度、酸素濃度および圧力の少なくとも何れか１つが所定の条件に該当する場合には、設置が成功したものと判断するようにしてもよい。【０００９】
また、この第１の側面において、上記設置判断部は、加速度、温度、酸素濃度および圧力の少なくとも何れか１つが所定の条件に該当する場合には、設置が失敗したものと判断するようにしてもよい。【００１０】
また、この第１の側面において、上記設置状況取得部が上記設置状況の取得の試行を開始してからの経過時間を計時する計時部をさらに具備し、上記設置判断部は、設置が成功する前に上記経過時間が所定の時間を超えた場合には、設置が失敗したものと判断するようにしてもよい。これにより、設置開始から所定の時間を超えても設置に成功しない場合には、設置が失敗したものとみなすという作用をもたらす。【００１１】
また、この第１の側面において、上記設置制御部は、設置が成功したものと判断された場合に、無線通信機能およびセンサー機能の少なくとも何れか１つを有効にするように制御するようにしてもよい。これにより、設置が成功した時点で、必要な機能を有効にするという作用をもたらす。【００１２】
また、この第１の側面において、上記設置制御部は、設置が失敗したものと判断された場合に、記憶装置の記憶内容の削除、設置が失敗した旨の表示、および、設置が失敗した旨の無線通信による通知の少なくとも何れか１つを行うように制御するようにしてもよい。これにより、設置の失敗に伴って必要な処理を行うという作用をもたらす。【００１３】
また、本技術の第２の側面は、センサーと、上記センサーのセンシング結果を無線送信する無線通信部と、上記センサーのセンシング結果に基づいて無線通信装置の周囲環境を推定する周囲環境推定部と、推定された上記周囲環境が所定の動作条件を満たす状態であるか否かを判断して判断結果を出力する状態判断部と、上記判断結果に応じて上記無線通信部を制御する制御部とを具備する無線通信装置、その制御方法、および、プログラムである。これにより、周囲環境が動作条件を満たすか否かの判断結果に応じて無線通信部を制御するという作用をもたらす。【００１４】
また、この第２の側面において、上記センサーは、温度、加速度および触覚の少なくとも何れか１つを上記センシング結果として取得するようにしてもよい。【００１５】
また、この第２の側面において、上記制御部は、上記動作条件を満たさない状態であると判断された場合に、自身の無線通信装置が動作を停止する旨を他の無線通信装置に対して通知するように上記無線通信部を制御するようにしてもよい。これにより、他の無線通信装置に動作停止を知らせて通信リソースを解放させるという作用をもたらす。【００１６】
また、この第２の側面において、上記制御部は、上記動作条件を満たさない状態であると判断された場合に、上記センシング結果の無線送信の送信頻度を下げるように上記無線通信部を制御するようにしてもよい。これにより、消費電力を低減するという作用をもたらす。【００１７】
また、この第２の側面において、上記制御部は、上記動作条件を満たさない状態であると判断された場合に、上記センシング結果の無線送信を不能にするように上記無線通信部を制御するようにしてもよい。これにより、消費電力を低減するとともに、第三者への情報の漏洩および流用を防ぐという作用をもたらす。
【発明の効果】
【００１８】
本技術によれば、ＩｏＴデバイスの個別の機能により、ＩｏＴデバイスの設置や回収または破棄などに伴う作業負担を低減することができるという優れた効果を奏し得る。なお、ここに記載された効果は必ずしも限定されるものではなく、本開示中に記載されたいずれかの効果であってもよい。
【図面の簡単な説明】
【００１９】
【図１】本技術の実施の形態における無線通信システムの一構成例を示す図である。
【図２】本技術の第１の実施の形態におけるＩｏＴデバイス１００の構成例を示す図である。
【図３】本技術の第１の実施の形態における設置状況取得部１５２によるセンシングデータの例を示す図である。
【図４】本技術の第１の実施の形態における設置条件設定部１５１に設定される設置条件、および、設置判断部１５３による判断結果の例を示す図である。
【図５】本技術の第１の実施の形態における設置判断部１５３による判断結果に従って制御部１８０が行う制御の例を示す図である。
【図６】本技術の第１の実施の形態におけるＩｏＴデバイス１００の設置時の処理手順の一例を示す流れ図である。
【図７】本技術の第２の実施の形態におけるＩｏＴデバイス１００の構成例を示す図である。
【図８】本技術の第２の実施の形態における動作条件設定部１６１に設定される動作条件の例を示す図である。
【図９】本技術の第２の実施の形態におけるＩｏＴデバイス１００の設置後の処理手順の一例を示す流れ図である。
【発明を実施するための形態】
【００２０】
以下、本技術を実施するための形態（以下、実施の形態と称する）について説明する。説明は以下の順序により行う。
１．第１の実施の形態（設置状況判断による制御の例）
２．第２の実施の形態（動作状態判断による制御の例）
【００２１】
＜１．第１の実施の形態＞
［無線通信システムの構成］
図１は、本技術の実施の形態における無線通信システムの一構成例を示す図である。
【００２２】
この無線通信システムは、複数のＩｏＴデバイス１００と、基地局２００と、サーバ４００とを備える。ＩｏＴデバイス１００と基地局２００との間は無線通信により接続される。基地局２００とサーバ４００との間はネットワーク３００を介して接続される。この無線通信システムでは、基地局２００の通信範囲２０において、複数のＩｏＴデバイス１００が設置される。
【００２３】
ＩｏＴデバイス１００は、無線通信機能を有する無線通信装置である。このＩｏＴデバイス１００は、自身に関する情報や、センサーによる測定結果などを無線通信により送信する。このＩｏＴデバイス１００は、後述するように、設置に伴って各機能を有効化する制御や、稼働状態に応じて各機能を無効化する制御などを行う。
【００２４】
基地局２００は、ＩｏＴデバイス１００との間で無線通信を行う基地局である。この基地局２００は、通信範囲２０に設置されているＩｏＴデバイス１００との間で無線通信を行う。この基地局２００は、ネットワーク３００を介してサーバ４００と接続し、ＩｏＴデバイス１００からのデータをサーバ４００に送信する。
【００２５】
サーバ４００は、ＩｏＴデバイス１００を管理するサーバである。このサーバ４００は、例えばインターネットなどのネットワーク３００を介してＩｏＴデバイス１００に接続し、ＩｏＴデバイス１００からのデータを受け取って保持する。
【００２６】
このような無線通信システムにおいて、ＩｏＴデバイス１００は様々な手法により設置される。例えば、飛行機やヘリコプターなどにより空中からＩｏＴデバイス１００を散布して地面（土壌）や海水中に設置することが考えられる。また、家屋や施設内に大量のＩｏＴデバイス１００を手作業で設置することも考えられる。このような状況下で、ＩｏＴデバイス１００の個々の位置の特定が困難な場合においても、ＩｏＴデバイス１００自身が設置状況を認識して、自身が有する機能を自ら有効化または無効化することが想定される。
【００２７】
［ＩｏＴデバイスの構成］
図２は、本技術の第１の実施の形態におけるＩｏＴデバイス１００の構成例を示す図である。
【００２８】
この第１の実施の形態におけるＩｏＴデバイス１００は、センサー１１０と、メモリ１２０と、無線通信部１３０と、電源供給部１７０と、制御部１８０と、表示部１９０と、設置状態認識部１５０とを備える。
【００２９】
センサー１１０は、周囲環境をセンシングするものである。メモリ１２０は、センサー１１０によるセンシング結果や、ＩｏＴデバイス１００の識別情報などを記憶するメモリである。無線通信部１３０は、外部と無線による通信を行うものである。ＩｏＴデバイス１００の基本動作として、センサー１１０によるセンシング結果やＩｏＴデバイス１００の識別情報などをメモリ１２０に記憶して、その記憶内容を無線通信部１３０が無線通信する、という動作を繰り返す。なお、通常の場合はセンサー１１０によるセンシング結果を送信することが想定されるが、例えばビーコンのようにセンシング結果を含まずに識別情報のみを送信する場合もある。また、センサー１１０によるセンシング結果そのものに限らず、センシング結果に対して所定の演算処理を施したものであってもよい。
【００３０】
電源供給部１７０は、ＩｏＴデバイス１００の各部に電源を供給するものである。この電源供給部１７０は、一般にバッテリ（電池）により構成される。同図においては電源供給線を省略しているが、この電源供給部１７０から各部に電源供給線が接続される。
【００３１】
制御部１８０は、ＩｏＴデバイス１００の全体を制御するものである。この制御部１８０は、例えば、無線通信部１３０における無線通信機能を有効化または無効化するように制御する。また、例えば、この制御部１８０は、センサー１１０におけるセンシング機能を有効化または無効化するように制御する。また、例えば、この制御部１８０は、メモリ１２０の記憶状態を無効化するように制御する。また、例えば、この制御部１８０は、電源供給部１７０における電源供給を制御する。なお、制御部１８０は、特許請求の範囲に記載の設置制御部の一例である。
【００３２】
表示部１９０は、ＩｏＴデバイス１００の状態を外部に表示するものである。この表示部１９０は、例えば、設置に失敗した旨をランプの点灯などにより表示する。
【００３３】
設置状態認識部１５０は、ＩｏＴデバイス１００の設置状態を認識して、その設置状態を制御部１８０に出力するものである。この設置状態認識部１５０は、ＩｏＴデバイス１００の設置前から動作を開始するが、設置状態を認識するための必要最小限の機能を備えるため、消費電力はＩｏＴデバイス１００全体よりも低く抑えることができる。この設置状態認識部１５０は、設置条件設定部１５１と、設置状況取得部１５２と、設置判断部１５３と、タイマー１５４とを備える。
【００３４】
設置条件設定部１５１は、設置状態を判断するための条件を設置条件として設定するものである。この設置条件は、ＩｏＴデバイス１００の機能に応じて予め設定されるものである。
【００３５】
設置状況取得部１５２は、設置状態を判断するためのＩｏＴデバイス１００の現在の状況を取得するものである。この設置状況取得部１５２は、センサー１１０の機能と一部重複する場合もある。したがって、この設置状況取得部１５２をセンサー１１０とは独立して設けてもよく、また、センサー１１０によるセンシング結果を設置状況取得部１５２が参照して利用するようにしてもよい。
【００３６】
設置判断部１５３は、設置状況取得部１５２により取得された現在の状況と、設置条件設定部１５１に設定された設置条件とに基づいて、ＩｏＴデバイス１００の設置状態を判断するものである。この設置判断部１５３による判断結果は、制御部１８０に出力される。
【００３７】
タイマー１５４は、設置状況取得部１５２によるＩｏＴデバイス１００の状況取得の試行が開始してからの経過時間を計時するものである。このタイマー１５４の値は設置判断部１５３に供給される。設置が成功する前にタイマー１５４による経過時間が所定の時間を超えた場合には、設置判断部１５３において、ＩｏＴデバイス１００の設置が失敗したものと判断される。なお、タイマー１５４は、特許請求の範囲に記載の計時部の一例である。
【００３８】
なお、この設置状態認識部１５０は、ＩｏＴデバイス１００の外部に外付けされるものであってもよい。また、制御部１８０において設置状態の認識に伴う制御機能については、設置状態認識部１５０の内部に設けるようにしてもよい。
【００３９】
［設置状況取得部のセンシングデータ］
図３は、本技術の第１の実施の形態における設置状況取得部１５２によるセンシングデータの例を示す図である。
【００４０】
設置状況取得部１５２は、ＩｏＴデバイス１００の設置状況を判断するために必要な、ＩｏＴデバイス１００の周囲のセンシングデータとして、例えば、加速度、温度、酸素濃度、圧力などを取得する。なお、上述のように、設置状況取得部１５２は、センサー１１０の機能と一部重複する場合には、センサー１１０からこれらのセンシングデータを取得するようにしてもよい。
【００４１】
加速度は、ＩｏＴデバイス１００の回転、向き、移動方向の変化などを検知するために用いられる。これにより、例えば、空中から地上に散布されたＩｏＴデバイス１００が地面などに到達したか、または、その落下過程において異常な状態に陥っていないかなどを判断することができる。
【００４２】
温度は、ＩｏＴデバイス１００の周囲の温度を検知するために用いられる。これにより、例えば、熱接着シートによって壁面にＩｏＴデバイス１００を設置した際、適切な温度により接着されているかなどを判断することができる。
【００４３】
酸素濃度は、ＩｏＴデバイス１００の周囲の酸素濃度を検知するために用いられる。これにより、例えば、ＩｏＴデバイス１００がパッケージに封入されている場合において、そのパッケージを開封したか否かを判断することができる。
【００４４】
圧力は、ＩｏＴデバイス１００に加わる圧力を検知するために用いられる。これにより、例えば、海中に散布されたＩｏＴデバイス１００が適切な深度に存在しているか否かを判断することができる。
【００４５】
［設置条件と設置判断］
図４は、本技術の第１の実施の形態における設置条件設定部１５１に設定される設置条件、および、設置判断部１５３による判断結果の例を示す図である。
【００４６】
ＩｏＴデバイス１００の設置方法として、空中から地上に散布する場合、センシングデータとして加速度が想定される。この場合、設置条件設定部１５１には判断条件として、加速度の範囲が設定される。設置判断部１５３は、一定の範囲内の加速度を検出した場合には設置が成功したと判断する。一方、一定の範囲を超える加速度を検出した場合には設置が失敗したと判断する。
【００４７】
また、ＩｏＴデバイス１００の設置方法として、海中に散布する場合、センシングデータとして圧力が想定される。この場合、設置条件設定部１５１には判断条件として、水中の深度の閾値が設定される。設置判断部１５３は、水中の深度が閾値未満であれば設置が成功したと判断する。一方、水中の深度が閾値以上になった場合には設置が失敗したと判断する。
【００４８】
また、ＩｏＴデバイス１００の設置方法として、ＩｏＴデバイス１００が封入されたパッケージをユーザが開封して設置する場合、センシングデータとして酸素濃度が想定される。この場合、設置条件設定部１５１には判断条件として、酸素濃度の値が設定される。設置判断部１５３は、酸素濃度の値が一定以上になれば設置が成功したと判断する。一方、酸素濃度の値が一定以上にならないまま一定期間が経過した場合には設置が失敗したと判断する。
【００４９】
また、ＩｏＴデバイス１００の設置方法として、ＩｏＴデバイス１００を熱接着シートによって壁面に設置する場合、センシングデータとして温度が想定される。この場合、設置条件設定部１５１には判断条件として、温度の範囲が設定される。設置判断部１５３は、温度が例えば１００度以上２００度未満であれば設置が成功したと判断する。一方、温度が例えば２００度以上になった場合には設置が失敗したと判断する。
【００５０】
なお、これらの判断条件に当てはまらない場合には、未設置であると判断し、再び設置状況を取得して設置状態の判断を繰り返す。
【００５１】
［設置判断による制御］
図５は、本技術の第１の実施の形態における設置判断部１５３による判断結果に従って制御部１８０が行う制御の例を示す図である。
【００５２】
設置判断部１５３が設置の成功を判断すると、ＩｏＴデバイス１００の有効化の制御を行う。具体的には、制御部１８０は、無線通信部１３０における無線通信機能を有効にすることが想定される。すなわち、設置の成功が確認されるまでは無線通信を行わず、設置が成功された後に無線通信を行うように制御することができる。
【００５３】
また、制御部１８０は、センサー１１０におけるセンサー機能を有効にすることが想定される。すなわち、設置の成功が確認されるまではセンサー機能を動作させず、設置が成功された後にセンシングを行うように制御することができる。
【００５４】
なお、この有効化の制御は、何れか一方の機能を有効にしてもよく、また、両方の機能を有効にしてもよい。
【００５５】
一方、設置判断部１５３が設置の失敗を判断すると、ＩｏＴデバイス１００の無効化の制御を行う。具体的には、制御部１８０は、メモリ１２０に記憶されているデータを削除することが想定される。すなわち、設置に失敗したＩｏＴデバイス１００から自動的に情報資産などを削除することにより、回収作業をすることなく情報の漏洩を防ぐことができる。
【００５６】
また、制御部１８０は、設置に失敗した旨を表示部１９０に表示させることが想定される。すなわち、設置に失敗したＩｏＴデバイス１００の特定を外観上明示することにより、回収を容易にすることができる。
【００５７】
また、制御部１８０は、設置に失敗した旨を無線通信部１３０により通知させることが想定される。すなわち、設置に失敗したＩｏＴデバイス１００の特定を情報として明示することにより、回収を容易にすることができる。
【００５８】
なお、この無効化の制御は、何れか１つの制御を行ってもよく、また、複数の制御を組み合わせてもよい。
【００５９】
［動作］
図６は、本技術の第１の実施の形態におけるＩｏＴデバイス１００の設置時の処理手順の一例を示す流れ図である。
【００６０】
ＩｏＴデバイス１００の設置作業が開始すると、タイマー１５４による計時が開始し、一定時間が経過するまで、以下の判断が行われる（ステップＳ９１１：Ｎｏ）。設置状況取得部１５２は、ＩｏＴデバイス１００の設置状況として周囲のセンシングデータの取得を試みる（ステップＳ９１２）。このとき、センシングデータが取得されなければ（ステップＳ９１３：Ｎｏ）、設置状況取得部１５２はセンシングデータ取得の試行を繰り返す（ステップＳ９１２）。
【００６１】
そして、センシングデータが取得されると（ステップＳ９１３：Ｙｅｓ）、その取得されたセンシングデータと設置条件設定部１５１に設定された設置条件とに基づいて、設置判断部１５３が設置判断処理を実行する（ステップＳ９１４）。その結果、設置が成功したと判断された場合には（ステップＳ９１５：「成功」）、制御部１８０がＩｏＴデバイス１００の有効化の制御を行う（ステップＳ９１６）。一方、設置が失敗したと判断された場合には（ステップＳ９１５：「失敗」）、制御部１８０がＩｏＴデバイス１００の無効化の制御を行う（ステップＳ９１８）。
【００６２】
また、設置の成否が不明な場合には（ステップＳ９１５：「不明」）、ステップＳ９１１以降の処理を繰り返す。すなわち、タイマー１５４による計時が一定時間を経過するまで、設置状況取得部１５２がＩｏＴデバイス１００の設置状況として周囲のセンシングデータ取得の試行を繰り返す（ステップＳ９１２）。
【００６３】
このように、本技術の第１の実施の形態によれば、設置判断部１５３がＩｏＴデバイス１００の設置の成否かを判断して、その判断結果に基づいてＩｏＴデバイス１００の機能を有効化または無効化することができる。したがって、外部から無線通信を介して有効化または無効化する場合に比べて、無線通信による指示に伴う電力消費を削減することができる。
【００６４】
＜２．第２の実施の形態＞
上述の第１の実施の形態では、ＩｏＴデバイス１００の設置時の設置成否の判断について説明した。これに対し、この第２の実施の形態では、ＩｏＴデバイス１００の設置後に動作条件を満たしているか否かを判断する。なお、無線通信システムの全体構成については上述の第１の実施の形態と同様であるため、詳細な説明を省略する。
【００６５】
［ＩｏＴデバイスの構成］
図７は、本技術の第２の実施の形態におけるＩｏＴデバイス１００の構成例を示す図である。
【００６６】
この第２の実施の形態におけるＩｏＴデバイス１００は、上述の第１の実施の形態と同様に、センサー１１０と、メモリ１２０と、無線通信部１３０と、電源供給部１７０と、制御部１８０と、表示部１９０とを備える。また、この第２の実施の形態におけるＩｏＴデバイス１００は、ＩｏＴデバイス１００の動作状態を認識する動作状態認識部１６０を備える。この動作状態認識部１６０は、動作条件設定部１６１と、周囲環境推定部１６２と、状態判断部１６３とを備える。
【００６７】
動作条件設定部１６１は、ＩｏＴデバイス１００が動作する条件を動作条件として設定するものである。この動作条件は、ＩｏＴデバイス１００の機能に応じて予め設定されるものである。
【００６８】
周囲環境推定部１６２は、センサー１１０のセンシング結果に基づいてＩｏＴデバイス１００の周囲環境を推定するものである。この周囲環境推定部１６２において参照されるセンシングデータとしては、例えば、温度、加速度および触覚などのうち少なくとも何れか１つが想定される。
【００６９】
状態判断部１６３は、周囲環境推定部１６２によって推定された周囲環境が、動作条件設定部１６１に設定された動作条件を満たす状態であるか否かを判断するものである。この判断結果は制御部１８０に供給される。制御部１８０は、その判断結果に応じて無線通信部１３０を制御する。なお、制御部１８０は、特許請求の範囲に記載の制御部の一例である。
【００７０】
［動作条件］
図８は、本技術の第２の実施の形態における動作条件設定部１６１に設定される動作条件の例を示す図である。
【００７１】
センシングデータとして温度センサーによる温度を用いる場合、例えば、センサー１１０の周囲の気温が１０度以上であることを動作条件とすることが想定される。すなわち、低気温の環境下ではデータを採取する必要がない場合に、不要な動作を行わないように制御することができる。
【００７２】
センシングデータとして加速度センサーによる加速度を用いる場合、例えば、センサー１１０の加速度が１時間あたり５キロメートル以上であることを動作条件とすることが想定される。すなわち、所定の加速度以下ではデータを採取する必要がない場合に、不要な動作を行わないように制御することができる。
【００７３】
センシングデータとして触覚センサーによる触覚を用いる場合、例えば、ＩｏＴデバイス１００の接着面の成分が牛の皮膚成分と一致することを動作条件とすることが想定される。すなわち、ＩｏＴデバイス１００を接着テープにより牛に貼り付けて、牛の健康状態や移動場所などを管理する場合、ＩｏＴデバイス１００が剥がれてしまった後には動作を停止することが望ましい。そのため、牛の皮膚成分と一致しなくなった場合には、ＩｏＴデバイス１００が剥がれたものと推定し、不要な動作を行わないように制御することができる。
【００７４】
なお、これらの動作条件は、単独で判断してもよく、また、複数の動作条件を適宜組み合わせて判断してもよい。
【００７５】
［動作停止処理］
上述のように、ＩｏＴデバイス１００が設置された後は、無線通信機能やセンサー機能等が有効化され、ＩｏＴデバイス１００は所定間隔でデータ送信の動作を行う。その後、動作条件を満たす状態でなくなったと状態判断部１６３が判断した場合、制御部１８０は以下に示すような動作停止処理を行う。
【００７６】
動作停止処理の第１の例として、ＩｏＴデバイス１００は基地局２００に対して動作停止通知を送信することが想定される。基地局２００はＩｏＴデバイス１００からのデータを受信するために受信リソースを割り当てていることが多い。そこで、動作を停止する旨を基地局２００に通知することにより、基地局２００の受信リソースを解放することができる。
【００７７】
動作停止処理の第２の例として、ＩｏＴデバイス１００の送信頻度を変化させることが想定される。これにより、ＩｏＴデバイス１００の消費電力を削減することができる。例えば，通常は１０分ごとにデータ送信を行っていたところを、動作停止が必要と判定した以降は、送信頻度を下げて１週間ごとにデータ送信を行うようにすることが考えられる。すなわち、動作が必要な環境下では短い間隔で有用なデータを取得することができ、一方、動作が不要な環境下では少ない無線リソースだけを使用してＩｏＴデバイス１００の生存確認を行う、といった運用が可能となる。具体的には、季節毎に送信頻度を変更する場合などが想定される。
【００７８】
動作停止処理の第３の例として、ＩｏＴデバイス１００を利用できなくすることが想定される。盗難などにより意図しない状態に陥った場合には一切の通信は不要になるため、メモリ１２０に記憶されているデータを削除し、また、無線通信部１３０を不可逆に使用不能にすることが考えられる。これにより、第三者への情報の漏洩および流用を防ぐことができる。
【００７９】
このように、この第２の実施の形態における動作停止処理は、完全に動作を停止するだけではなく、一部の機能を停止し、または、その動作頻度を変化させることを含む概念である。
【００８０】
［動作］
図９は、本技術の第２の実施の形態におけるＩｏＴデバイス１００の設置後の処理手順の一例を示す流れ図である。
【００８１】
周囲環境推定部１６２は、センサー１１０のセンシング結果に基づいてＩｏＴデバイス１００の周囲環境を推定する（ステップＳ９２２）。そして、状態判断部１６３は、周囲環境推定部１６２によって推定された周囲環境が、動作条件設定部１６１に設定された動作条件を満たす状態であるか否かを判断する（ステップＳ９２５）。
【００８２】
状態判断部１６３による判断の結果、動作条件を満たす状態であると判断された場合（ステップＳ９２５：「動作」）、ＩｏＴデバイス１００は通常の動作を継続する。すなわち、センサー１１０が必要なデータを取得し（ステップＳ９２６）、そのデータを無線通信部１３０が送信する（ステップＳ９２７）。
【００８３】
一方、動作条件を満たす状態でないと判断された場合（ステップＳ９２５：「停止」）、制御部１８０は上述の動作停止処理を実行する（ステップＳ９２８）。これにより、不要な動作を行わないように制御することができる。
【００８４】
このように、本技術の第２の実施の形態によれば、ＩｏＴデバイス１００が動作条件を満たす状態であるか否かを状態判断部１６３が判断することにより、その判断結果に基づいて不要な動作を行わないように制御することができる。
【００８５】
すなわち、このような第２の実施の形態における制御により、外部状態が変化したことを検知してＩｏＴデバイス１００の動作を停止して、人的操作を介することなく動作停止が可能となり、不要に無線資源を消費することがなくなる。また、盗難といった意図しない状況に陥った場合も同様に、ＩｏＴデバイス１００の動作が停止するため、第三者による悪用を防ぐことができる。また、ＩｏＴデバイス１００が自律的に動作停止を判断するため、基地局２００との双方向通信は不要となり、ＩｏＴデバイス１００のコストを削減することができる。
【００８６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８７】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【００８８】
なお、本明細書に記載された効果はあくまで例示であって、限定されるものではなく、また、他の効果があってもよい。
【００８９】
なお、本技術は以下のような構成もとることができる。
（１）無線通信装置の設置状況を取得する設置状況取得部と、
取得された前記設置状況に基づいて設置が成功したか否かを判断して判断結果を出力する設置判断部と、
前記判断結果に従って設置に関する制御を行う設置制御部と
を具備する無線通信装置。
（２）前記設置状況取得部は、加速度、温度、酸素濃度および圧力の少なくとも何れか１つを前記設置状況として取得する
前記（１）に記載の無線通信装置。
（３）前記設置判断部は、加速度、温度、酸素濃度および圧力の少なくとも何れか１つが所定の条件に該当する場合には、設置が成功したものと判断する
前記（１）または（２）に記載の無線通信装置。
（４）前記設置判断部は、加速度、温度、酸素濃度および圧力の少なくとも何れか１つが所定の条件に該当する場合には、設置が失敗したものと判断する
前記（１）から（３）のいずれかに記載の無線通信装置。
（５）前記設置状況取得部が前記設置状況の取得の試行を開始してからの経過時間を計時する計時部をさらに具備し、
前記設置判断部は、設置が成功する前に前記経過時間が所定の時間を超えた場合には、設置が失敗したものと判断する
前記（１）から（４）のいずれかに記載の無線通信装置。
（６）前記設置制御部は、設置が成功したものと判断された場合に、無線通信機能およびセンサー機能の少なくとも何れか１つを有効にするように制御する
前記（１）から（５）のいずれかに記載の無線通信装置。
（７）前記設置制御部は、設置が失敗したものと判断された場合に、記憶装置の記憶内容の削除、設置が失敗した旨の表示、および、設置が失敗した旨の無線通信による通知の少なくとも何れか１つを行うように制御する
前記（１）から（６）のいずれかに記載の無線通信装置。
（８）無線通信装置の設置状況を取得する設置状況取得手順と、
取得された前記設置状況に基づいて設置が成功したか否かを判断して判断結果を出力する設置判断手順と、
前記判断結果に従って設置に関する制御を行う設置制御手順と
を具備する無線通信装置の制御方法。
（９）無線通信装置の設置状況を取得する設置状況取得手順と、
取得された前記設置状況に基づいて設置が成功したか否かを判断して判断結果を出力する設置判断手順と、
前記判断結果に従って設置に関する制御を行う設置制御手順と
をコンピュータに実行させるプログラム。
（１０）センサーと、
前記センサーのセンシング結果を無線送信する無線通信部と、
前記センサーのセンシング結果に基づいて無線通信装置の周囲環境を推定する周囲環境推定部と、
推定された前記周囲環境が所定の動作条件を満たす状態であるか否かを判断して判断結果を出力する状態判断部と、
前記判断結果に応じて前記無線通信部を制御する制御部と
を具備する無線通信装置。
（１１）前記センサーは、温度、加速度および触覚の少なくとも何れか１つを前記センシング結果として取得する
前記（１０）に記載の無線通信装置。
（１２）前記制御部は、前記動作条件を満たさない状態であると判断された場合に、自身の無線通信装置が動作を停止する旨を他の無線通信装置に対して通知するように前記無線通信部を制御する
前記（１０）または（１１）に記載の無線通信装置。
（１３）前記制御部は、前記動作条件を満たさない状態であると判断された場合に、前記センシング結果の無線送信の送信頻度を下げるように前記無線通信部を制御する
前記（１０）から（１２）のいずれかに記載の無線通信装置。
（１４）前記制御部は、前記動作条件を満たさない状態であると判断された場合に、前記センシング結果の無線送信を不能にするように前記無線通信部を制御する
前記（１０）から（１３）のいずれかに記載の無線通信装置。
（１５）センサーと、前記センサーのセンシング結果を無線送信する無線通信部とを備える無線通信装置の制御方法であって、
前記センサーのセンシング結果に基づいて無線通信装置の周囲環境を推定する周囲環境推定手順と、
推定された前記周囲環境が所定の動作条件を満たす状態であるか否かを判断して判断結果を出力する状態判断手順と、
前記判断結果に応じて前記無線通信部を制御する制御手順と
を具備する無線通信装置の制御方法。
（１６）センサーと、前記センサーのセンシング結果を無線送信する無線通信部とを備える無線通信装置において、
前記センサーのセンシング結果に基づいて無線通信装置の周囲環境を推定する周囲環境推定手順と、
推定された前記周囲環境が所定の動作条件を満たす状態であるか否かを判断して判断結果を出力する状態判断手順と、
前記判断結果に応じて前記無線通信部を制御する制御手順と
をコンピュータに実行させるプログラム。
【符号の説明】
【００９０】
２０  通信範囲
１００  ＩｏＴデバイス
１１０  センサー
１２０  メモリ
１３０  無線通信部
１５０  設置状態認識部
１５１  設置条件設定部
１５２  設置状況取得部
１５３  設置判断部
１５４  タイマー
１６０  動作状態認識部
１６１  動作条件設定部
１６２  周囲環境推定部
１６３  状態判断部
１７０  電源供給部
１８０  制御部
１９０  表示部
２００  基地局
３００  ネットワーク
４００  サーバ
【図１】
2019171765.tif 000003
【図２】
2019171765.tif 000004
【図３】
2019171765.tif 000005
【図４】
2019171765.tif 000006
【図５】
2019171765.tif 000007
【図６】
2019171765.tif 000008
【図７】
2019171765.tif 000009
【図８】
2019171765.tif 000010
【図９】
2019171765.tif 000011
【国際調査報告】
2019171765.tif 000012
2019171765.tif 000013